(57)【要約】【課題】複数の帯域フィルタを介した入力信号の振幅値に基づき入力信号の周波数を算出する際に、周波数算出の精度を向上させる。【解決手段】周波数算出装置１に入力された入力信号は、各チャネルフィルタ２および基準フィルタ７、８を介して、ＡＭＰ３で対数増幅される。対数増幅された入力信号は、Ａ−Ｄ変換器４で、デジタル信号に変換される。比較器５は、所定のチャネルのデジタル信号の振幅値を比較する。周波数算出器６は、チャネルフィルタ２および基準フィルタ７、８を介した入力信号に対応するデジタル信号の振幅値、の最大値がチャネルフィルタ２に対応するデジタル信号の振幅値である場合には、上記最大値に対応するチャネルフィルタ２に対応するデジタル信号の振幅値と、周波数領域において通過帯域が該チャネルフィルタ２に隣接するチャネルフィルタ２に対応するデジタル信号の振幅値との差に基づき、入力信号の周波数を算出する。【選択図】図１
2014143541.tif 000002
【特許請求の範囲】
【請求項１】
中心周波数が互いに異なる複数の帯域フィルタであって、周波数領域において通過帯域が隣接する複数のチャネルフィルタと、
前記複数のチャネルフィルタの内、いずれのチャネルフィルタの通過帯域にも含まれない周波数であって、周波数領域において、前記複数のチャネルフィルタの内、最も中心周波数が低いチャネルフィルタの通過帯域および最も中心周波数が高いチャネルフィルタの通過帯域、のそれぞれの近傍に位置する周波数を通過帯域に含む帯域フィルタである、基準フィルタと、
前記チャネルフィルタを介した入力信号の振幅値および前記基準フィルタを介した入力信号の振幅値から選択した振幅値を比較する比較器と、
前記比較器の結果に基づき、前記入力信号の周波数を算出する周波数算出器と、
を備える周波数算出装置。
【請求項２】
前記基準フィルタは、
前記最も中心周波数が低いチャネルフィルタの中心周波数より低い周波数であって、該中心周波数との差が閾値以下である周波数を中心周波数とし、定めた周波数帯を通過帯域とする帯域フィルタである第１の基準フィルタと、
前記最も中心周波数が高いチャネルフィルタの中心周波数より高い周波数であって、該中心周波数との差が閾値以下である周波数を中心周波数とし、定めた周波数帯を通過帯域とする帯域フィルタである第２の基準フィルタと、から構成され、
前記比較器は、周波数領域において通過帯域が隣接する前記チャネルフィルタを介した入力信号の振幅値、前記第１の基準フィルタおよび前記最も中心周波数が低いチャネルフィルタを介した入力信号の振幅値、および、前記最も中心周波数が高いチャネルフィルタおよび前記第２の基準フィルタを介した入力信号の振幅値、をそれぞれ比較し、
前記周波数算出器は、前記チャネルフィルタを介した入力信号の振幅値、前記第１の基準フィルタを介した入力信号の振幅値、および前記第２の基準フィルタを介した入力信号の振幅値、の最大値が前記第１の基準フィルタまたは前記第２の基準フィルタを介した入力信号の振幅値である場合には、前記入力信号の周波数の算出を行わず、前記最大値が前記チャネルフィルタを介した入力信号の振幅値である場合には、前記最大値に対応する前記チャネルフィルタを介した入力信号の振幅値と、周波数領域において通過帯域が該チャネルフィルタに隣接する前記チャネルフィルタを介した入力信号の振幅値との差に基づき、前記入力信号の周波数を算出する、
請求項１に記載の周波数算出装置。
【請求項３】
前記基準フィルタは、
前記最も中心周波数が低いチャネルフィルタの通過帯域の下限より低い周波数帯、および前記最も中心周波数が高いチャネルフィルタの通過帯域の上限より高い周波数帯を通過帯域に含む１つの帯域フィルタであり、
前記比較器は、周波数領域において隣接する前記チャネルフィルタを介した入力信号の振幅値、前記最も中心周波数が低いチャネルフィルタを介した入力信号の振幅値および前記基準フィルタを介した入力信号の振幅値、および、前記最も中心周波数が高いチャネルフィルタを介した入力信号の振幅値および前記基準フィルタを介した入力信号の振幅値、をそれぞれ比較し、
前記周波数算出器は、前記チャネルフィルタを介した入力信号の振幅値の最大値が、前記最も中心周波数が低いチャネルフィルタまたは前記最も中心周波数が高いチャネルフィルタを介した入力信号の振幅値であって、前記基準フィルタを介した入力信号の振幅値が該最大値より大きい場合には、前記入力信号の周波数の算出を行わず、前記チャネルフィルタを介した入力信号の振幅値の最大値が、前記最も中心周波数が低いチャネルフィルタまたは前記最も中心周波数が高いチャネルフィルタを介した入力信号の振幅値であって、前記基準フィルタを介した入力信号の振幅値が該最大値以下である場合、または、前記チャネルフィルタを介した入力信号の振幅値の最大値が、前記最も中心周波数が低いチャネルフィルタおよび前記最も中心周波数が高いチャネルフィルタを介した入力信号の振幅値のいずれでもない場合には、前記最大値に対応する前記チャネルフィルタを介した入力信号の振幅値と、周波数領域において通過帯域が該チャネルフィルタに隣接する前記チャネルフィルタを介した入力信号の振幅値との差に基づき、前記入力信号の周波数を算出する、
請求項１に記載の周波数算出装置。
【請求項４】
中心周波数が互いに異なる複数の帯域フィルタであって、周波数領域において通過帯域が隣接する複数のチャネルフィルタと、
前記複数のチャネルフィルタの内、いずれのチャネルフィルタの通過帯域にも含まれない周波数であって、周波数領域において、前記複数のチャネルフィルタの内、最も中心周波数が低いチャネルフィルタの通過帯域および最も中心周波数が高いチャネルフィルタの通過帯域、のそれぞれの近傍に位置する周波数を通過帯域に含む帯域フィルタである、基準フィルタとを備える周波数算出装置が行う周波数算出方法であって、
前記チャネルフィルタを介した入力信号の振幅値および前記基準フィルタを介した入力信号の振幅値から選択した振幅値を比較する比較ステップと、
前記比較ステップの結果に基づき、前記入力信号の周波数を算出する周波数算出ステップと、
を備える周波数算出方法。
【請求項５】
前記基準フィルタは、
前記最も中心周波数が低いチャネルフィルタの中心周波数より低い周波数であって、該中心周波数との差が閾値以下である周波数を中心周波数とし、定めた周波数帯を通過帯域とする帯域フィルタである第１の基準フィルタと、
前記最も中心周波数が高いチャネルフィルタの中心周波数より高い周波数であって、該中心周波数との差が閾値以下である周波数を中心周波数とし、定めた周波数帯を通過帯域とする帯域フィルタである第２の基準フィルタと、から構成され、
前記比較ステップにおいて、周波数領域において通過帯域が隣接する前記チャネルフィルタを介した入力信号の振幅値、前記第１の基準フィルタおよび前記最も中心周波数が低いチャネルフィルタを介した入力信号の振幅値、および、前記最も中心周波数が高いチャネルフィルタおよび前記第２の基準フィルタを介した入力信号の振幅値、をそれぞれ比較し、
前記周波数算出ステップにおいて、前記チャネルフィルタを介した入力信号の振幅値、前記第１の基準フィルタを介した入力信号の振幅値、および前記第２の基準フィルタを介した入力信号の振幅値、の最大値が前記第１の基準フィルタまたは前記第２の基準フィルタを介した入力信号の振幅値である場合には、前記入力信号の周波数の算出を行わず、前記最大値が前記チャネルフィルタを介した入力信号の振幅値である場合には、前記最大値に対応する前記チャネルフィルタを介した入力信号の振幅値と、周波数領域において通過帯域が該チャネルフィルタに隣接する前記チャネルフィルタを介した入力信号の振幅値との差に基づき、前記入力信号の周波数を算出する、
請求項４に記載の周波数算出方法。
【請求項６】
前記基準フィルタは、
前記最も中心周波数が低いチャネルフィルタの通過帯域の下限より低い周波数帯、および前記最も中心周波数が高いチャネルフィルタの通過帯域の上限より高い周波数帯を通過帯域に含む１つの帯域フィルタであり、
前記比較ステップにおいて、周波数領域において隣接する前記チャネルフィルタを介した入力信号の振幅値、前記最も中心周波数が低いチャネルフィルタを介した入力信号の振幅値および前記基準フィルタを介した入力信号の振幅値、および、前記最も中心周波数が高いチャネルフィルタを介した入力信号の振幅値および前記基準フィルタを介した入力信号の振幅値、をそれぞれ比較し、
前記周波数算出ステップにおいて、前記チャネルフィルタを介した入力信号の振幅値の最大値が、前記最も中心周波数が低いチャネルフィルタまたは前記最も中心周波数が高いチャネルフィルタを介した入力信号の振幅値であって、前記基準フィルタを介した入力信号の振幅値が該最大値より大きい場合には、前記入力信号の周波数の算出を行わず、前記チャネルフィルタを介した入力信号の振幅値の最大値が、前記最も中心周波数が低いチャネルフィルタまたは前記最も中心周波数が高いチャネルフィルタを介した入力信号の振幅値であって、前記基準フィルタを介した入力信号の振幅値が該最大値以下である場合、または、前記チャネルフィルタを介した入力信号の振幅値の最大値が、前記最も中心周波数が低いチャネルフィルタおよび前記最も中心周波数が高いチャネルフィルタを介した入力信号の振幅値のいずれでもない場合には、前記最大値に対応する前記チャネルフィルタを介した入力信号の振幅値と、周波数領域において通過帯域が該チャネルフィルタに隣接する前記チャネルフィルタを介した入力信号の振幅値との差に基づき、前記入力信号の周波数を算出する、
請求項４に記載の周波数算出方法。
【発明の詳細な説明】
【技術分野】
【０００１】
この発明は、周波数算出装置および周波数算出方法に関する。
【背景技術】
【０００２】
中心周波数が異なる複数の狭帯域のＢＰＦ（Band-Pass Filter：帯域フィルタ）を用い、各ＢＰＦが出力する入力信号の振幅値の差から入力信号の周波数算出を行う、チャネライズド方式を用いた受信装置がある。従来、チャネライズド方式の受信装置においては、受信した高周波の入力信号を、所望の周波数帯域を構成する複数の狭帯域のＢＰＦのそれぞれに送り、各ＢＰＦを介した入力信号の振幅値の差に基づき、入力信号の周波数算出を行う。特許文献１に開示される受信装置は、通過帯域が互いに異なる複数のＢＰＦを備え、受信信号のパルスの振幅値が安定したことを検出した後に、入力信号の周波数算出を行う。
【先行技術文献】
【特許文献】
【０００３】
【特許文献１】特開２００２−１５２０７２号公報
【発明の概要】
【発明が解決しようとする課題】
【０００４】
特許文献１に開示される受信装置は、各ＢＰＦの通過帯域から構成される所望の周波数帯域外であって、該周波数帯域の近傍に強い信号を受信した場合、該信号のサイドローブのみを受信し、該信号のサイドローブに基づき誤って周波数を検出する可能性がある。
【０００５】
本発明は上述の事情に鑑みてなされたものであり、複数の帯域フィルタを介した入力信号の振幅値に基づき入力信号の周波数を算出する際に、周波数算出の精度を向上させることを目的とする。
【課題を解決するための手段】
【０００６】
上記目的を達成するために、本発明の周波数算出装置は、複数のチャネルフィルタ、基準フィルタ、比較器、および周波数算出器を備える。チャネルフィルタは、中心周波数が互いに異なる複数の帯域フィルタであって、周波数領域において通過帯域が隣接する。基準フィルタは、複数のチャネルフィルタの内、いずれのチャネルフィルタの通過帯域にも含まれない周波数であって、周波数領域において、複数のチャネルフィルタの内、最も中心周波数が低いチャネルフィルタの通過帯域および最も中心周波数が高いチャネルフィルタの通過帯域、のそれぞれの近傍に位置する周波数を通過帯域に含む帯域フィルタである。比較器は、チャネルフィルタを介した入力信号の振幅値および基準フィルタを介した入力信号の振幅値から選択した振幅値を比較する。周波数算出器は、比較器の結果に基づき、入力信号の周波数を算出する。
【発明の効果】
【０００７】
本発明によれば、複数の帯域フィルタを介した入力信号の振幅値に基づき入力信号の周波数を算出する際に、周波数算出の精度を向上させることが可能となる。
【図面の簡単な説明】
【０００８】
【図１】本発明の実施の形態１に係る周波数算出装置の構成例を示すブロック図である。
【図２】実施の形態１におけるチャネルフィルタおよび基準フィルタの通過帯域を示す図である。
【図３】実施の形態１に係る周波数算出装置が行う周波数算出の動作の一例を示すフローチャートである。
【図４】本発明の実施の形態２に係る周波数算出装置の構成例を示すブロック図である。
【図５】実施の形態２におけるチャネルフィルタおよび基準フィルタの通過帯域を示す図である。
【図６】実施の形態２に係る周波数算出装置が行う周波数算出の動作の一例を示すフローチャートである。
【発明を実施するための形態】
【０００９】
以下、本発明の実施の形態について図面を参照して詳細に説明する。なお図中、同一または同等の部分には同一の符号を付す。
【００１０】
（実施の形態１）
図１は、本発明の実施の形態１に係る周波数算出装置の構成例を示すブロック図である。周波数算出装置１は、複数のチャネルフィルタ２、ＡＭＰ（AMPlifier：増幅器）３、Ａ−Ｄ（Analog-Digital）変換器４、比較器５、周波数算出器６、および基準フィルタ７、８を備える。周波数算出装置１に入力された入力信号は各チャネルフィルタ２および基準フィルタ７、８に送られる。
【００１１】
チャネルフィルタ２は、中心周波数が互いに異なるＢＰＦ（Band-Pass Filter：帯域フィルタ）であって、通過帯域が周波数領域において隣接する。チャネルフィルタ２の通過帯域は、互いに重複する周波数帯があってもよい。基準フィルタ７、８は、チャネルフィルタ２のいずれの通過帯域にも含まれない周波数であって、周波数領域において、チャネルフィルタ２の内、最も中心周波数が低いチャネルフィルタ２の通過帯域および最も中心周波数が高いチャネルフィルタ２の通過帯域、のそれぞれの近傍に位置する周波数を通過帯域に含むＢＰＦである。チャネルフィルタ２および基準フィルタ７、８を介した入力信号を区別するため、図１に示すように、チャネルＣＨ０、ＣＨ１、ＣＨ２、・・・、ＣＨｎ−１、ＣＨｎ、ＣＨ−１、ＣＨｎ＋１を定める。
【００１２】
図２は、実施の形態１におけるチャネルフィルタおよび基準フィルタの通過帯域を示す図である。チャネルＣＨ０、ＣＨ１、ＣＨ２、・・・、ＣＨｎ−１、ＣＨｎに対応するチャネルフィルタ２の通過帯域により、所望の周波数帯域が構成される。所望の周波数帯域は、図２において点線で示すように、周波数ｆ１以上、ｆ２以下の範囲である。チャネルフィルタ２の内、最も中心周波数が低いチャネルフィルタ２は、チャネルＣＨ０に対応するチャネルフィルタ２である。チャネルフィルタ２の内、最も中心周波数が高いチャネルフィルタ２は、チャネルＣＨｎに対応するチャネルフィルタ２である。
【００１３】
チャネルＣＨ−１に対応する基準フィルタ７は、チャネルＣＨ０に対応するチャネルフィルタ２の中心周波数より低い周波数であって、該中心周波数との差が閾値以下である周波数を中心周波数とし、定めた周波数帯を通過帯域とするＢＰＦである。上記閾値および基準フィルタ７の通過帯域は、任意に定めることができる。チャネルＣＨｎ＋１に対応する基準フィルタ８は、チャネルＣＨｎに対応するチャネルフィルタ２の中心周波数より高い周波数であって、該中心周波数との差が閾値以下である周波数を中心周波数とし、定めた周波数帯を通過帯域とするＢＰＦである。基準フィルタ７の場合と同様に、上記閾値および基準フィルタ８の通過帯域は、任意に定めることができる。図２の例においては、基準フィルタ７の通過帯域および基準フィルタ８の通過帯域がそれぞれ、周波数領域において、チャネルフィルタ２の通過帯域により構成される所望の周波数帯域に隣接する。
【００１４】
ＡＭＰ３は、対数増幅器である。チャネルフィルタ２または基準フィルタ７、８を介した入力信号は、ＡＭＰ３に送られ、ＡＭＰ３で対数増幅される。ＡＭＰ３で対数増幅された入力信号は、Ａ−Ｄ変換器４で、デジタル信号に変換される。比較器５は、所定のチャネルのデジタル信号の振幅値を比較する。比較器５は、チャネルＣＨ０とチャネルＣＨ１のデジタル信号の振幅値、チャネルＣＨ１とチャネルＣＨ２のデジタル信号の振幅値、といったように周波数領域において通過帯域が隣接するチャネルフィルタ２を介した入力信号に対応するデジタル信号の振幅値をそれぞれ比較する。比較器５は、チャネルＣＨ−１とチャネルＣＨ０のデジタル信号の振幅値、すなわち周波数領域において通過帯域が隣接する、基準フィルタ７および最も中心周波数が低いチャネルフィルタ２を介した入力信号の振幅値の比較も行う。比較器５は、チャネルＣＨｎとチャネルＣＨｎ＋１のデジタル信号の振幅値、すなわち周波数領域において通過帯域が隣接する、最も中心周波数が高いチャネルフィルタ２および基準フィルタ８を介した入力信号の振幅値の比較も行う。
【００１５】
周波数算出器６は、比較器５の結果に基づき、入力信号の周波数を算出する。周波数算出器６は、チャネルフィルタ２を介した入力信号に対応するデジタル信号の振幅値、および基準フィルタ７、８を介した入力信号に対応するデジタル信号の振幅値、の最大値が基準フィルタ７、８を介した入力信号に対応するデジタル信号の振幅値である場合には、所望の周波数帯域外の信号を受信したとみなし、入力信号の周波数の算出を行わない。周波数算出器６は、上記最大値がチャネルフィルタ２を介した入力信号に対応するデジタル信号の振幅値である場合には、上記最大値に対応するチャネルフィルタ２を介した入力信号に対応するデジタル信号の振幅値と、周波数領域において通過帯域が該チャネルフィルタ２に隣接するチャネルフィルタ２を介した入力信号に対応するデジタル信号の振幅値との差に基づき、入力信号の周波数を算出する。
【００１６】
例えばチャネルＣＨ１のデジタル信号の振幅値が最大値である場合には、比較器５が出力するチャネルＣＨ０とチャネルＣＨ１のデジタル信号の振幅値の差、およびチャネルＣＨ１とチャネルＣＨ２のデジタル信号の振幅値の差に基づき、入力信号の周波数を算出する。チャネルＣＨ−１、ＣＨｎ＋１のデジタル信号の振幅値が最大値である場合、すなわち、所望の周波数帯域外の信号を受信した場合に、該信号のサイドローブに基づく周波数の算出は行われないため、周波数算出の精度を向上させることが可能となる。
【００１７】
図３は、実施の形態１に係る周波数算出装置が行う周波数算出の動作の一例を示すフローチャートである。周波数算出器６が行う周波数算出の動作の一例について説明する。周波数算出器６は、比較器５の出力に基づき、チャネルフィルタ２を介した入力信号に対応するデジタル信号の振幅値、および基準フィルタ７、８を介した入力信号に対応するデジタル信号の振幅値、の最大値を検出する（ステップＳ１１０）。
【００１８】
周波数算出器６は、上記最大値がチャネルフィルタ２を介した入力信号に対応するデジタル信号の振幅値である場合には（ステップＳ１２０；Ｙ）、上記最大値に対応するチャネルフィルタ２を介した入力信号に対応するデジタル信号の振幅値と、周波数領域において通過帯域が該チャネルフィルタ２に隣接するチャネルフィルタ２を介した入力信号に対応するデジタル信号の振幅値との差に基づき、入力信号の周波数を算出する（ステップＳ１３０）。周波数算出器６は、上記最大値が基準フィルタ７、８を介した入力信号に対応するデジタル信号の振幅値である場合には（ステップＳ１２０；Ｎ）、所望の周波数帯域外の信号を受信したとみなし、ステップＳ１３０の周波数の算出を行わない。
【００１９】
以上説明したとおり、実施の形態１に係る周波数算出装置１によれば、周波数算出の精度を向上させることが可能となる。
【００２０】
（実施の形態２）
図４は、本発明の実施の形態２に係る周波数算出装置の構成例を示すブロック図である。実施の形態２に係る周波数算出装置１は、図１に示す実施の形態１に係る周波数算出装置１が備える基準フィルタ７、８の代わりに、基準フィルタ９を備える。周波数算出装置１に入力された入力信号は各チャネルフィルタ２および基準フィルタ９に送られる。
【００２１】
基準フィルタ９は、チャネルフィルタ２の内、最も中心周波数が低いチャネルフィルタ２の通過帯域の下限より低い周波数帯および最も中心周波数が高いチャネルフィルタ２の通過帯域の上限より高い周波数帯を通過帯域に含む１つのＢＰＦである。チャネルフィルタ２および基準フィルタ９を介した入力信号を区別するため、図１に示すように、チャネルＣＨ０、ＣＨ１、ＣＨ２、・・・、ＣＨｎ−１、ＣＨｎ、ＣＨｎ＋１を定める。
【００２２】
図５は、実施の形態２におけるチャネルフィルタおよび基準フィルタの通過帯域を示す図である。チャネルＣＨ０、ＣＨ１、ＣＨ２、・・・、ＣＨｎ−１、ＣＨｎに対応するチャネルフィルタ２の通過帯域により、所望の周波数帯域が構成される。所望の周波数帯域は、図５において点線で示すように、周波数ｆ１以上、ｆ２以下の範囲である。チャネルフィルタ２の内、最も中心周波数が低いチャネルフィルタ２は、チャネルＣＨ０に対応するチャネルフィルタ２である。チャネルフィルタ２の内、最も中心周波数が高いチャネルフィルタ２は、チャネルＣＨｎに対応するチャネルフィルタ２である。
【００２３】
チャネルＣＨｎ＋１に対応する基準フィルタ９は、チャネルＣＨ０に対応するチャネルフィルタ２の通過帯域の下限より低い周波数帯およびチャネルＣＨｎに対応するチャネルフィルタ２の通過帯域の上限より高い周波数帯を含む１つのＢＰＦである。図５の例においては、基準フィルタ９の通過帯域は、所望の周波数帯および周波数領域において所望の周波数帯に隣接する２つの周波数帯を含む。
【００２４】
比較器５は、所定のチャネルのデジタル信号の振幅値を比較する。比較器５は、チャネルＣＨ０とチャネルＣＨ１のデジタル信号の振幅値、チャネルＣＨ１とチャネルＣＨ２のデジタル信号の振幅値、といったように周波数領域において通過帯域が隣接するチャネルフィルタ２を介した入力信号に対応するデジタル信号の振幅値をそれぞれ比較する。比較器５は、チャネルＣＨ０とチャネルＣＨｎ＋１のデジタル信号の振幅値、すなわち最も中心周波数が低いチャネルフィルタ２および基準フィルタ９を介した入力信号の振幅値の比較も行う。比較器５は、チャネルＣＨｎとチャネルＣＨｎ＋１のデジタル信号の振幅値、すなわち最も中心周波数が高いチャネルフィルタ２および基準フィルタ９を介した入力信号の振幅値の比較も行う。
【００２５】
周波数算出器６は、比較器５の結果に基づき、入力信号の周波数を算出する。周波数算出器６は、チャネルフィルタ２を介した入力信号に対応するデジタル信号の振幅値の最大値が最も中心周波数が低いチャネルフィルタ２または最も中心周波数が高いチャネルフィルタ２を介した入力信号に対応するデジタル信号の振幅値であって、基準フィルタ９を介した入力信号に対応するデジタル信号の振幅値が、上記最大値より大きい場合には、所望の周波数帯域外の信号を受信したとみなし、周波数の算出を行わない。
【００２６】
周波数算出器６は、チャネルフィルタ２を介した入力信号に対応するデジタル信号の振幅値の最大値が最も中心周波数が低いチャネルフィルタ２または最も中心周波数が高いチャネルフィルタ２を介した入力信号に対応するデジタル信号の振幅値であって、基準フィルタ９を介した入力信号に対応するデジタル信号の振幅値が、上記最大値以下である場合、または、チャネルフィルタ２を介した入力信号に対応するデジタル信号の振幅値の最大値が最も中心周波数が低いチャネルフィルタ２および最も中心周波数が高いチャネルフィルタ２を介した入力信号に対応するデジタル信号の振幅値のいずれでもない場合には、上記最大値に対応するチャネルフィルタ２を介した入力信号に対応するデジタル信号の振幅値と、周波数領域において該チャネルフィルタ２に隣接するチャネルフィルタ２を介した入力信号に対応するデジタル信号の振幅値との差に基づき、入力信号の周波数を算出する。
【００２７】
例えばチャネルＣＨ１のデジタル信号の振幅値が最大値である場合には、比較器５が出力するチャネルＣＨ０とチャネルＣＨ１のデジタル信号の振幅値の差、およびチャネルＣＨ１とチャネルＣＨ２のデジタル信号の振幅値の差に基づき、周波数算出器６は、入力信号の周波数を算出する。またチャネルＣＨ０またはチャネルＣＨｎのデジタル信号の振幅値が最大値であって、チャネルＣＨｎ＋１のデジタル信号の振幅値が該最大値以下である場合にも、周波数算出器６は、入力信号の周波数を算出する。一方、チャネルＣＨ０またはチャネルＣＨｎのデジタル信号の振幅値が最大値であって、チャネルＣＨｎ＋１のデジタル信号の振幅値が該最大値より大きい場合、すなわち、所望の周波数帯域外の信号を受信した場合に、該信号のサイドローブに基づく周波数の算出は行われないため、周波数算出の精度を向上させることが可能となる。
【００２８】
図６は、実施の形態２に係る周波数算出装置が行う周波数算出の動作の一例を示すフローチャートである。周波数算出器６が行う周波数算出の動作の一例について説明する。周波数算出器６は、比較器５の出力に基づき、チャネルフィルタ２を介した入力信号に対応するデジタル信号の振幅値の最大値を検出する（ステップＳ１１１）。周波数算出器６は、上記最大値がチャネルＣＨ１〜ＣＨｎ−１のチャネルフィルタ２を介した入力信号に対応するデジタル信号の振幅値である場合には（ステップＳ１２１；Ｙ）、上記最大値に対応するチャネルフィルタ２を介した入力信号に対応するデジタル信号の振幅値と、周波数領域において通過帯域が該チャネルフィルタ２に隣接するチャネルフィルタ２を介した入力信号に対応するデジタル信号の振幅値との差に基づき、入力信号の周波数を算出する（ステップＳ１３０）。
【００２９】
周波数算出器６は、上記最大値がチャネルＣＨ０またはチャネルＣＨｎのチャネルフィルタ２を介した入力信号に対応するデジタル信号の振幅値であって、チャネルＣＨｎ＋１の基準フィルタ９を介した入力信号に対応するデジタル信号の振幅値が該最大値以下である場合には（ステップＳ１２１；Ｎ、ステップＳ１４０；Ｎ）、上記最大値に対応するチャネルフィルタ２を介した入力信号に対応するデジタル信号の振幅値と、周波数領域において通過帯域が該チャネルフィルタ２に隣接するチャネルフィルタ２を介した入力信号に対応するデジタル信号の振幅値との差に基づき、入力信号の周波数を算出する（ステップＳ１３０）。
【００３０】
周波数算出器６は、上記最大値がチャネルＣＨ０またはチャネルＣＨｎのチャネルフィルタ２を介した入力信号に対応するデジタル信号の振幅値であって、チャネルＣＨｎ＋１の基準フィルタ９を介した入力信号に対応するデジタル信号の振幅値が該最大値より大きい場合には（ステップＳ１２１；Ｎ、ステップＳ１４０；Ｙ）、所望の周波数帯域外の信号を受信したとみなし、ステップＳ１３０の周波数の算出を行わない。
【００３１】
実施の形態２に係る周波数算出装置１においては、実施の形態１に係る周波数算出装置１よりＢＰＦの数が１つ少ないため、周波数算出装置１の構成を簡易化することができる。
【００３２】
以上説明したとおり、実施の形態２に係る周波数算出装置１によれば、周波数算出の精度を向上させることが可能となる。
【００３３】
本発明の実施の形態は上述の実施の形態に限られない。
【符号の説明】
【００３４】
１  周波数算出装置、２  チャネルフィルタ、３  ＡＭＰ、４  Ａ−Ｄ変換器、５  比較器、６  周波数算出器、７、８、９  基準フィルタ。
【図１】
2014143541.tif 000003
【図２】
2014143541.tif 000004
【図３】
2014143541.tif 000005
【図４】
2014143541.tif 000006
【図５】
2014143541.tif 000007
【図６】
2014143541.tif 000008